(57)【要約】【課題】機械的な接点および駆動周波数を設定する発振回路のいずれも用いずに警報音を発生する。【解決手段】ダイヤフラム１０、アーマチャ１１および電磁石１２を有するホーン１と、ダイヤフラム１０の変位を検出する検出手段２、６、７と、検出手段２、６、７の検出結果に基づいて電磁石１２への通電を断続する断続手段３とを有し、断続手段３が電磁石１２への通電を断続することでダイヤフラム１０が振動して音を発生する。具体的には、検出手段２、６、７は、ダイヤフラム１０の変位位置に応じたレベルの検出信号を断続手段３に出力し、断続手段３は、検出手段２、６、７からの検出信号のレベルを閾値レベルと比較する比較回路３ｃを有し、比較回路３ｃの比較結果に基づいて電磁石１２への通電を断続する。【選択図】図１
2011257685.tif 000002
【特許請求の範囲】
【請求項１】
ダイヤフラム（１０）、アーマチャ（１１）および電磁石（１２）を有するホーン（１）と、
前記ダイヤフラム（１０）の変位を検出する検出手段（２、６、７）と、
前記検出手段（２、６、７）の検出結果に基づいて前記電磁石（１２）への通電を断続する断続手段（３）とを有し、
前記断続手段（３）が前記電磁石（１２）への通電を断続することで前記ダイヤフラム（１０）が振動して音を発生することを特徴とする警音装置。
【請求項２】
前記検出手段（２、６、７）は、前記ダイヤフラム（１０）の変位位置に応じたレベルの検出信号を前記断続手段（３）に出力し、
前記断続手段（３）は、前記検出手段（２、６、７）からの検出信号のレベルを閾値レベルと比較する比較回路（３ｃ）を有し、前記比較回路（３ｃ）の比較結果に基づいて前記電磁石（１２）への通電を断続することを特徴とする請求項１に記載の警音装置。
【請求項３】
前記電磁石（１２）による磁束は、前記アーマチャ（１１）と前記電磁石（１２）との間隙の大きさに応じて変化し、
前記検出手段（２）は、前記電磁石（１２）による磁束に応じたレベルの検出信号を出力するようになっていることを特徴とする請求項２に記載の警音装置。
【請求項４】
前記検出手段（６）は、発光部（６ａ）と受光部（６ｂ）とを有し、前記受光部（６ｂ）での受光状態が前記ダイヤフラム（１０）の変位位置に応じて変化し、前記受光部（６ｂ）での受光状態に応じたレベルの検出信号を出力するようになっていることを特徴とする請求項２に記載の警音装置。
【請求項５】
前記ホーン（１）は、前記ダイヤフラム（１０）を支持するとともに前記アーマチャ（１１）および前記電磁石（１２）を収容するハウジング（１４）を有し、
前記ハウジング（１４）内の圧力は前記ダイヤフラム（１０）の変位に応じて変化し、
前記検出手段（７）は、前記ハウジング（１４）内の圧力に応じたレベルの検出信号を出力するようになっていることを特徴とする請求項２に記載の警音装置。
【請求項６】
前記ホーン（１）は、前記ダイヤフラム（１０）を支持するとともに前記アーマチャ（１１）および前記電磁石（１２）を収容するハウジング（１４）を有し、
前記ハウジング（１４）内の音圧は前記ダイヤフラム（１０）の変位に応じて変化し、
前記検出手段は、前記ハウジング（１４）内の音圧に応じたレベルの検出信号を出力するようになっていることを特徴とする請求項２に記載の警音装置。
【発明の詳細な説明】
【技術分野】
【０００１】
本発明は、電磁石によりダイヤフラムを振動させて警報音を発生する警音装置に関する。
【背景技術】
【０００２】
従来、この種の警音装置には接点型と無接点型とがある。接点型の警音装置は、機械的な接点の開閉にて電磁石に対する通電を断続させることでダイヤフラムを自励振動させるものである（例えば特許文献１）。
【０００３】
具体的には電磁石に通電がなされて電磁石がアーマチャを吸引するとアーマチャが接点を押し開いて接点が切れる（開く）ので、電磁石への通電が遮断される。電磁石への通電が遮断されると電磁石の吸引力が消失してアーマチャが元の位置に戻るので接点が入る（閉じる）。これにより、再び電磁石に通電がなされてアーマチャが吸引される。このような動作が繰り返されることで電磁石が断続的に通電されてアーマチャおよびダイヤフラムが自励振動する。
【０００４】
一方、無接点型の警音装置は、トランジスタ等の発振回路を有する電子回路で駆動電流の周波数（駆動周波数）を設定することでダイヤフラムを所期の周波数で振動させるものである（例えば特許文献２）。
【先行技術文献】
【特許文献】
【０００５】
【特許文献１】特開２００９−１６８８４４号公報
【特許文献２】特表２００９−５２５９２１号公報
【発明の概要】
【発明が解決しようとする課題】
【０００６】
しかしながら、接点型の警音装置は、接点の開閉に伴ってアーク放電が生じ、アーク放電の際に生じるアーク熱（高熱）によって接点が消耗してしまう。このため、使用頻度が高いほど寿命が短くなるという問題がある。
【０００７】
一方、無接点型の警音装置は、ダイヤフラムの固有振動数と駆動周波数とが一致しないとダイヤフラムが共振せず音圧が著しく低下してしまう。しかるに、ダイヤフラムの固有振動数に公差があるため、製造工程において電子回路の抵抗値等を調整して駆動周波数をダイヤフラムの固有振動数に一致させる必要があり、この調整作業が非常に煩雑であるという問題がある。
【０００８】
本発明は上記点に鑑みて、機械的な接点および駆動周波数を設定する発振回路のいずれも用いずに警報音を発生することのできる警音装置を提供することを目的とする。
【課題を解決するための手段】
【０００９】
上記目的を達成するため、請求項１に記載の発明では、ダイヤフラム（１０）、アーマチャ（１１）および電磁石（１２）を有するホーン（１）と、
ダイヤフラム（１０）の変位を検出する検出手段（２、６、７）と、
検出手段（２、６、７）の検出結果に基づいて電磁石（１２）への通電を断続する断続手段（３）とを有し、
断続手段（３）が電磁石（１２）への通電を断続することでダイヤフラム（１０）が振動して音を発生することを特徴とする。
【００１０】
これにより、機械的な接点および駆動周波数を設定する発振回路のいずれも用いずに警報音を発生することができる。
【００１１】
請求項２に記載の発明では、請求項１に記載の警音装置において、検出手段（２、６、７）は、ダイヤフラム（１０）の変位位置に応じたレベルの検出信号を断続手段（３）に出力し、
断続手段（３）は、検出手段（２、６、７）からの検出信号のレベルを閾値レベルと比較する比較回路（３ｃ）を有し、比較回路（３ｃ）の比較結果に基づいて電磁石（１２）への通電を断続することを特徴とする。
【００１２】
これにより、検出手段（２、６、７）の検出結果に基づいて電磁石（１２）への通電を確実に断続することができる。
【００１３】
なお、本発明における「検出手段からの検出信号のレベルを閾値レベルと比較する」とは、検出手段からの検出信号のレベルをそのまま閾値レベルと比較することのみを意味するものではなく、検出手段からの検出信号を増幅し、増幅された信号のレベルを閾値レベルと比較することをも含む意味のものである。
【００１４】
請求項３に記載の発明では、請求項２に記載の警音装置において、電磁石（１２）による磁束は、アーマチャ（１１）と電磁石（１２）との間隙の大きさに応じて変化し、
検出手段（２）は、電磁石（１２）による磁束に応じたレベルの検出信号を出力するようになっていることを特徴とする。
【００１５】
これによると、検出手段（２）によってアーマチャ（１１）の変位を検出することができるので、ダイヤフラム（１０）の変位を間接的に検出することができる。
【００１６】
請求項４に記載の発明では、請求項２に記載の警音装置において、検出手段（６）は、発光部（６ａ）と受光部（６ｂ）とを有し、受光部（６ｂ）での受光状態がダイヤフラム（１０）の変位位置に応じて変化し、受光部（６ｂ）での受光状態に応じたレベルの検出信号を出力するようになっていることを特徴とする。
【００１７】
これにより、ダイヤフラム（１０）の変位を直接的に検出することができる。
【００１８】
請求項５に記載の発明では、請求項２に記載の警音装置において、ホーン（１）は、ダイヤフラム（１０）を支持するとともにアーマチャ（１１）および電磁石（１２）を収容するハウジング（１４）を有し、
ハウジング（１４）内の圧力はダイヤフラム（１０）の変位に応じて変化し、
検出手段（７）は、ハウジング（１４）内の圧力に応じたレベルの検出信号を出力するようになっていることを特徴とする。
【００１９】
これにより、ダイヤフラム（１０）の変位を間接的に検出することができる。
【００２０】
請求項６に記載の発明では、請求項２に記載の警音装置において、ホーン（１）は、ダイヤフラム（１０）を支持するとともにアーマチャ（１１）および電磁石（１２）を収容するハウジング（１４）を有し、
ハウジング（１４）内の音圧はダイヤフラム（１０）の変位に応じて変化し、
検出手段は、ハウジング（１４）内の音圧に応じたレベルの検出信号を出力するようになっていることを特徴とする。
【００２１】
これにより、ダイヤフラム（１０）の変位を間接的に検出することができる。
【００２２】
なお、この欄および特許請求の範囲で記載した各手段の括弧内の符号は、後述する実施形態に記載の具体的手段との対応関係を示すものである。
【図面の簡単な説明】
【００２３】
【図１】本発明の第１実施形態における警音装置の全体構成および作動を説明する図である。
【図２】図１の警音装置の回路図である。
【図３】本発明の第２実施形態における警音装置の全体構成および作動を説明する図である。
【図４】本発明の第３実施形態における警音装置の全体構成および作動を説明する図である。
【発明を実施するための形態】
【００２４】
（第１実施形態）
以下、本発明の第１実施形態を説明する。本実施形態の警音装置は車両等に適用されるものであり、図１に示すように電磁ホーン１、センサ２、電子制御装置（以下、ＥＣＵと言う。）３、および警音器スイッチ４を備えている。
【００２５】
電磁ホーン１は、ダイヤフラム１０、アーマチャ１１、電磁石１２、共振板１３およびハウジング１４を有する平型ホーンであり、例えば車両のフロントグリル近傍部位に取り付けられている。
【００２６】
図示を省略しているが、共振板１３を使った平型ホーンの代わりに、共鳴管で音を増幅するトランペット型ホーンを電磁ホーン１に適用してもよい。トランペット型ホーンを適用した場合、共振板１３の代わりに共鳴管を有している点以外は図１の構成図と同様である。
【００２７】
ダイヤフラム１０はアーマチャ１１に固定されており、共振板１３はダイヤフラム１０に対向して配置されている。電磁石１２は、アーマチャ１１に対して所定の空隙を介して配置されたコア１２ａと、コア１２ａに巻回されたコイル１２ｂとを有しており、図１（ｂ）に示すように車両のバッテリ５からの通電により電磁力を発生してアーマチャ１１を吸引する。
【００２８】
ハウジング１４は、ダイヤフラム１０を支持しているとともにアーマチャ１１および電磁石１２を収容している。
【００２９】
センサ２は、ダイヤフラム１０の変位を電気的に検出する検出手段をなすものであり、ハウジング１４の内面に固定されている。本実施形態では、センサ２は、ホール効果を利用して磁束を検出するホール素子で構成されている。ホール効果とは、電流の流れているものに対し、電流に垂直に磁場をかけると、電流と磁場の両方に直交する方向に起電力が現れる現象のことである。
【００３０】
センサ２は磁束の強さに応じたレベルの検出信号を出力するようになっている。本例では、センサ２は磁束が発生していない場合には検出信号を出力せず、磁束が発生している場合には磁束が強いほど高いレベル（電圧）の検出信号を出力するように構成されている。
【００３１】
アーマチャ１１が変位すると、アーマチャ１１とコア１２ａとの間隙の大きさが変化するので電磁石１２による磁束も変化する。この磁束の変化をセンサ２で測定することによってダイヤフラム１０の変位を間接的に検出することができる。
【００３２】
ＥＣＵ３は、電磁石１２への通電を電子的に断続する断続手段をなすものであり、ＣＰＵ、ＲＯＭ、ＲＡＭ、Ｉ／Ｏなどを備えたマイクロコンピュータおよびその周辺機器によって構成され、ＲＯＭなどに記憶されたプログラムに従った各種演算や処理を実行する。また、ＥＣＵ３は、演算処理ＩＣで構成される場合でも同様の処理を実行する。
【００３３】
図２に示すように、ＥＣＵ３は、検出回路３ａ、増幅回路３ｂ、比較回路３ｃおよびパワー系駆動回路（以下、駆動回路と言う。）３ｄを有している。検出回路３ａには、センサ２と警音器スイッチ４とが電気的に接続されている。
【００３４】
警音器スイッチ４は常開型スイッチであり、車両のステアリングに設けられたホーンスイッチ６に連動して閉状態（ＯＮ）になるように構成されている。本実施形態では、警音器スイッチ４として電磁リレーが用いられている。
【００３５】
検出回路３ａは、警音器スイッチ４が開状態（ＯＦＦ）である場合には増幅回路３ｂに信号を出力せず、警音器スイッチ４の閉状態（ＯＮ）である場合にはセンサ２から入力される信号に応じて増幅回路３ｂに信号を出力する。
【００３６】
具体的には、警音器スイッチ４の閉状態（ＯＮ）であり且つセンサ２から入力される信号のレベル（電圧）が所定レベル以上の場合には、センサ２から入力される信号を増幅回路３ｂにそのまま出力する。
【００３７】
また、警音器スイッチ４の閉状態（ＯＮ）であり且つセンサ２から入力される信号のレベルが所定レベル未満の場合には、増幅回路３ｂに一定レベル（小レベル）の信号を出力する。
【００３８】
増幅回路３ｂは、検出回路３ａからの出力信号を増幅して比較回路３ｃに出力する。増幅回路３ｂは、ＥＣＵ３のマイクロコンピュータとは別個のＩＣで構成されていてもよい。
【００３９】
比較回路３ｃは、増幅回路３ｂからの出力信号のレベルを閾値レベルＶ１と比較し、増幅回路３ｂからの出力信号のレベルが閾値レベルＶ１未満の場合には駆動回路３ｄに信号を出力し、増幅回路３ｂからの出力信号のレベルが閾値レベルＶ１を超えている場合には駆動回路３ｄに信号を出力しない。
【００４０】
駆動回路３ｄは、比較回路３ｃから信号が出力されている場合には駆動電流を発生し、比較回路３ｃから信号が出力されていない場合には駆動電流を発生しない。駆動回路３ｄにはコイル１２ｂが接続されているので、駆動回路３ｄで発生した駆動電流はコイル１２ｂに供給される。
【００４１】
次に、上記構成における作動を説明する。まずホーンスイッチ６が乗員によって押されていない場合には、警音器スイッチ４が開状態（ＯＦＦ）になっているので、検出回路３ａは増幅回路３ｂに信号を出力しない。したがって、コイル１２ｂへの駆動電流の供給が行われない。このとき、電磁石１２による磁束が発生しないので、センサ２は検出信号を出力しない。
【００４２】
この状態において図１（ａ）に示すようにホーンスイッチ６が乗員によって押されると警音器スイッチ４が閉状態（ＯＮ）になる。このとき、センサ２は検出信号を出力していないので、検出回路３ａは増幅回路３ｂに一定レベル（小レベル）の信号を出力する。増幅回路３ｂは、検出回路３ａからの小レベルの信号を増幅して比較回路３ｃに出力する。
【００４３】
ここで、検出回路３ａの出力信号が小レベルに設定されているのは、増幅回路３ｂからの出力信号のレベルが閾値レベルＶ１未満になるようにするためである。これにより、比較回路３ｃが駆動回路３ｄに信号を出力するので、駆動回路３ｄが駆動電流を発生する。したがって、コイル１２ｂへの駆動電流の供給が開始され、電磁石１２による磁束φ１が発生する。
【００４４】
電磁石１２による磁束φ１が発生すると、センサ２が検出信号を出力するとともに、図１（ｂ）に示すようにアーマチャ１１がコア１２ａ側に吸引されて変位する。アーマチャ１１がコア１２ａ側に変位すると、ダイヤフラム１０がコア１２ａ側に引っ張られて変形するとともにアーマチャ１１とコア１２ａとの間隙が小さくなる。
【００４５】
アーマチャ１１とコア１２ａとの間隙（エアギャップ）が小さくなるにつれて電磁石１２による磁束φ１の強さが大きくなる。このため、センサ２からの検出信号のレベルも大きくなり、増幅回路３ｂからの出力信号のレベルも大きくなる。
【００４６】
そして、増幅回路３ｂからの出力信号のレベルが閾値レベルＶ１を超えると、比較回路３ｃが駆動回路３ｄに信号を出力しなくなるので、駆動回路３ｄからコイル１２ｂへの駆動電流の供給が遮断される。その結果、電磁石１２による磁束φ１が消失し、コア１２ａを吸引する吸引力も消失するので、図１（ｃ）に示すようにダイヤフラム１０がその弾性力により元の形状（初期形状）に復帰し、これに伴いアーマチャ１１が元の位置（初期位置）に復帰する。
【００４７】
また、コイル１２ｂの電磁力（吸引力）が消失すると、増幅回路３ｂからの出力信号のレベルが閾値レベルＶ１未満になるので比較回路３ｃが再び駆動回路３ｄに信号を出力する。その結果、図１（ａ）に示すように再び電磁石１２による磁束φ１が発生するので、図１（ｂ）に示すようにアーマチャ１１がコア１２ａ側に吸引されて変位し、ダイヤフラム１０がコア１２ａ側に引っ張られて変形する。
【００４８】
このような動作が繰り返されることでダイヤフラム１０が所期の周波数（３００〜５００Ｈｚ）且つ所期の振幅で自励振動し、共振板１３が共振するので、電磁ホーン１から所期の周波数（高周波数）および所期の音圧（高音圧）の音が発生する。このときの発生音は刺激的な倍音であるので、警音器の警報音としての役割を果たすことができる。
【００４９】
なお、センサ２の調整または閾値レベルＶ１の調整により通電の断続タイミングを調整することができるので、ダイヤフラム１０の振動数を調整でき、ひいては警報音を調整することができる。
【００５０】
本実施形態によると、センサ２がダイヤフラム１０の変位を間接的に検出し、ＥＣＵ３がセンサ２の検出結果に基づいて電磁石１２への通電を断続することでダイヤフラム１０が振動して警報音を発生する。したがって、機械的な接点および駆動周波数を設定する発振回路のいずれも用いずに警報音を発生することができる。
【００５１】
その結果、消耗する接点が用いられる従来の接点型の警音装置に比べて高寿命化を図ることができるとともに、従来の無接点型の警音装置における製造工程での調整作業、すなわち電子回路の抵抗値等を調整して駆動周波数をダイヤフラムの固有振動数に一致させるという煩雑な調整作業を廃止できる。
【００５２】
（第２実施形態）
上記第１実施形態では、ダイヤフラム変位検出手段をなすセンサ２としてホール素子が用いられているが、本第２実施形態では、図３に示すようにホール素子の代わりにフォトインタラプタ６が用いられている。
【００５３】
フォトインタラプタ６は、発光部６ａと受光部６ｂとを有し、ハウジング１４の内面に固定されている。本例では、フォトインタラプタ６は、発光部６ａから出た光を物体に反射させ、その反射光を受光部６ｂで検出することによって物体の有無や位置を検出する反射型フォトインタラプタで構成されている。
【００５４】
フォトインタラプタ６は、受光部６ｂでの受光状態に応じたレベルの検出信号を出力するようになっている。具体的には、フォトインタラプタ６は、受光部６ｂで受光した反射光の光量や成分に応じたレベルの検出信号を出力するようになっている。
【００５５】
発光部６ａおよび受光部６ｂはダイヤフラム１０に向けて配置されており、発光部６ａはダイヤフラム１０に向けて一定の光を照射し、ダイヤフラム１０からの反射光を受光部６ｂによって検出する。
【００５６】
受光部６ｂが受光する反射光の光量や成分はダイヤフラム１０の変位位置に応じて変化するので、この反射光の光量や成分の変化を受光部６ｂで測定することによってダイヤフラム１０の変位を直接的に検出することができる。
【００５７】
なお、フォトインタラプタ６は透過型フォトインタラプタで構成されていてもよい。透過型フォトインタラプタとは、発光部と受光部とが一定の間隔を持って対向して配置され、発光部と受光部との間の物体の有無や位置を検出するものである。この場合には、ダイヤフラム１０またはアーマチャ１１の変位に連動して変位する遮光部材を発光部と受光部との間に設ければよい。
【００５８】
ＥＣＵ３は、上述した図２と同様に、検出回路３ａ、増幅回路３ｂ、比較回路３ｃおよび駆動回路３ｄを有している。検出回路３ａには、フォトインタラプタ６と警音器スイッチ４とが電気的に接続されている。
【００５９】
ＥＣＵ３の検出回路３ａは、警音器スイッチ４が開状態（ＯＦＦ）である場合には増幅回路３ｂに信号を出力せず、警音器スイッチ４の閉状態（ＯＮ）である場合にはフォトインタラプタ６から入力される信号のレベルに応じて増幅回路３ｂに信号を出力する。
【００６０】
次に、上記構成における作動を説明する。まずホーンスイッチ６が乗員によって押されていない場合には、警音器スイッチ４が開状態（ＯＦＦ）になっているので、検出回路３ａは増幅回路３ｂに信号を出力しない。したがって、コイル１２ｂへの駆動電流の供給が行われない。そのため、電磁石１２による磁束が発生せず、アーマチャ１１がコア１２ａ側に吸引されないので、ダイヤフラム１０が変位しない。このとき、本例のフォトインタラプタ６は小レベルの検出信号を出力する。
【００６１】
この状態において図３（ａ）に示すようにホーンスイッチ６が乗員によって押されると警音器スイッチ４が閉状態（ＯＮ）になる。このとき、フォトインタラプタ６は小レベルの検出信号を出力しているので、増幅回路３ｂは検出回路３ａからの信号を増幅して比較回路３ｃに出力する。
【００６２】
フォトインタラプタ６の検出信号が小レベルであるので、増幅回路３ｂからの出力信号のレベルは閾値レベルＶ１未満になる。これにより、比較回路３ｃは駆動回路３ｄに信号を出力するので、駆動回路３ｄが駆動電流を発生する。したがって、コイル１２ｂへの駆動電流の供給が開始され、電磁石１２による磁束が発生する。
【００６３】
電磁石１２による磁束が発生すると、図３（ｂ）に示すようにアーマチャ１１がコア１２ａ側に吸引されて変位する。アーマチャ１１がコア１２ａ側に変位すると、ダイヤフラム１０がコア１２ａ側に引っ張られて変形する。
【００６４】
本例では、ダイヤフラム１０がコア１２ａ側に引っ張られて変形するにつれてフォトインタラプタ６からの検出信号のレベルが大きくなるようになっている。このため、ダイヤフラム１０がコア１２ａ側に引っ張られて変形するにつれて増幅回路３ｂからの出力信号のレベルも大きくなる。
【００６５】
そして、増幅回路３ｂからの出力信号のレベルが閾値レベルＶ１を超えると、比較回路３ｃが駆動回路３ｄに信号を出力しなくなるので、駆動回路３ｄからコイル１２ｂへの駆動電流の供給が遮断される。その結果、コイル１２ｂの電磁力（吸引力）が消失するので、図３（ｃ）に示すようにダイヤフラム１０がその弾性力により元の形状に復帰し、これに伴いアーマチャ１１が元の位置に復帰する。
【００６６】
また、ダイヤフラム１０がその弾性力により元の形状に復帰すると、フォトインタラプタ６からの検出信号のレベルが小さくなって増幅回路３ｂからの出力信号のレベルが閾値レベルＶ１未満になるので比較回路３ｃが再び駆動回路３ｄに信号を出力する。その結果、再び電磁石１２による磁束が発生するので、図３（ｂ）に示すようにアーマチャ１１がコア１２ａ側に吸引されて変位し、ダイヤフラム１０がコア１２ａ側に引っ張られて変形する。
【００６７】
このような動作が繰り返されることでダイヤフラム１０が所期の周波数（３００〜５００Ｈｚ）且つ所期の振幅で自励振動し、共振板１３が共振するので、電磁ホーン１から所期の周波数（高周波数）および所期の音圧（高音圧）の警報音が発生する。よって、本実施形態においても上記第１実施形態と同様の作用効果を得ることができる。
【００６８】
（第３実施形態）
上記第１実施形態では、ダイヤフラム変位検出手段をなすセンサ２としてホール素子が用いられているが、本第３実施形態では、図４に示すようにホール素子の代わりに圧力センサ７が用いられている。
【００６９】
圧力センサ７は、ハウジング１４の内面に固定されており、ハウジング１４内の圧力の大きさに応じたレベルの検出信号を出力するようになっている。本例では、圧力センサ７は、ハウジング１４内の圧力と大気圧との差圧を検出し、差圧が生じていない場合には検出信号を出力せず、差圧が生じている場合には差圧が大きいほど高いレベルの検出信号を出力するようになっている。
【００７０】
ダイヤフラム１０がコア１２ａ側に吸引されて変位するとハウジング１４内の圧力が上昇して大気圧との差圧が大きくなるので、この差圧の変化を圧力センサ７で測定することによってダイヤフラム１０の変位を検出することができる。
【００７１】
なお、圧力センサ７の代わりに、ハウジング１４内の音圧（微少な圧力変動）を検出する圧電素子を用いてもよい。
【００７２】
ＥＣＵ３は、上述した図２と同様に、検出回路３ａ、増幅回路３ｂ、比較回路３ｃおよび駆動回路３ｄを有している。検出回路３ａには、圧力センサ７と警音器スイッチ４とが接続されている。
【００７３】
次に、上記構成における作動を説明する。まずホーンスイッチ６が乗員によって押されていない場合には、警音器スイッチ４が開状態（ＯＦＦ）になっているので、検出回路３ａは増幅回路３ｂに信号を出力しない。そのため、電磁石１２による磁束が発生せず、アーマチャ１１がコア１２ａ側に吸引されないので、ダイヤフラム１０が変位しない。その結果、ハウジング１４内の圧力と大気圧との差圧が生じないので、圧力センサ７は検出信号を出力しない。
【００７４】
この状態において図４（ａ）に示すようにホーンスイッチ６が乗員によって押されると警音器スイッチ４が閉状態（ＯＮ）になる。このとき、圧力センサ７は検出信号を出力していないので、検出回路３ａは増幅回路３ｂに一定レベル（小レベル）の信号を出力する。増幅回路３ｂは、検出回路３ａからの小レベルの信号を増幅して比較回路３ｃに出力する。
【００７５】
ここで、検出回路３ａの出力信号が小レベルに設定されているのは、増幅回路３ｂからの出力信号が閾値レベルＶ１未満になるようにするためである。これにより、比較回路３ｃが駆動回路３ｄに信号を出力するので、駆動回路３ｄが駆動電流を発生する。したがって、コイル１２ｂへの駆動電流の供給が開始され、電磁石１２による磁束が発生する。
【００７６】
電磁石１２による磁束が発生すると、図４（ｂ）に示すようにアーマチャ１１がコア１２ａ側に吸引されて変位するのでダイヤフラム１０がコア１２ａ側に引っ張られて変形する。そのため、ハウジング１４内の圧力が上昇して大気圧との差圧が生じるので、圧力センサ７が検出信号を出力する。
【００７７】
ダイヤフラム１０がコア１２ａ側に引っ張られて変形するにつれてハウジング１４内の圧力と大気圧との差圧が大きくなるので、圧力センサ７の検出信号のレベルも大きくなり、増幅回路３ｂからの出力信号のレベルも大きくなる。
【００７８】
そして、増幅回路３ｂからの出力信号のレベルが閾値レベルＶ１を超えると、比較回路３ｃが駆動回路３ｄに信号を出力しなくなるので、駆動回路３ｄからコイル１２ｂへの駆動電流の供給が遮断される。その結果、電磁石１２による磁束が消失し、コア１２ａを吸引する吸引力も消失するので、図４（ｃ）に示すようにダイヤフラム１０がその弾性力により元の形状に復帰し、これに伴いアーマチャ１１が元の位置に復帰する。
【００７９】
また、ダイヤフラム１０がその弾性力により元の形状に復帰すると、ハウジング１４内の圧力と大気圧との差圧が小さくなって圧力センサ７からの検出信号のレベルが小さくなる。そのため、増幅回路３ｂからの出力信号のレベルが閾値レベルＶ１未満になるので比較回路３ｃが再び駆動回路３ｄに信号を出力する。その結果、再び電磁石１２による磁束が発生するので、図４（ｂ）に示すようにアーマチャ１１がコア１２ａ側に吸引されて変位し、ダイヤフラム１０がコア１２ａ側に引っ張られて変形する。
【００８０】
このような動作が繰り返されることでダイヤフラム１０が所期の周波数（３００〜５００Ｈｚ）且つ所期の振幅で自励振動し、共振板１３が共振するので、電磁ホーン１から所期の周波数（高周波数）および所期の音圧（高音圧）の警報音が発生する。よって、本実施形態においても上記第１実施形態と同様の作用効果を得ることができる。
【符号の説明】
【００８１】
１    ホーン
２    センサ（検出手段）
３    断続手段
３ｃ  比較回路
１０  ダイヤフラム
１１  アーマチャ
１２  電磁石
【図１】
2011257685.tif 000003
【図２】
2011257685.tif 000004
【図３】
2011257685.tif 000005
【図４】
2011257685.tif 000006